(57)【要約】【課題】本発明は、消費電力の無駄を極力少なくした映像表示システム及び表示機器を提供する。【解決手段】表示機器１１０における表示対象が再生機器１２０が出力する再生映像信号に切り替えられたことが条件に、再生機器１２０の電源がオンされる。また、表示機器１１０において表示対象が再生機器１２０の出力する再生映像信号から他の表示対象へと切り替えが行われた場合に、制御部１１３により再生機器１２０が電源オフに制御される。【選択図】図２
2010098515.tif 000002
【特許請求の範囲】
【請求項１】
映像を再生し、再生映像信号を出力する少なくとも１つの再生機器と、
前記少なくとも１つの再生機器と接続され、前記再生機器から出力される再生映像信号の表示を行う表示機器と、
を有し、
前記表示機器は、前記再生機器から出力される再生映像信号を表示するか否かに応じて前記再生機器の電源を制御する
映像再生システム。
【請求項２】
前記表示機器は、
表示する対象となる表示対象を切り替える切替部
を有し、
前記表示機器は、前記切替部において、表示対象が切り替えられた場合に、新たに表示対象に切り替えられた再生映像信号を出力する再生機器の電源がオフである場合には、当該再生機器の電源をオンにするように制御する
請求項１に記載の映像再生システム。
【請求項３】
前記表示機器は、前記切替部において、表示対象が切り替えられた場合に、切り替えられるまで表示対象であった再生映像信号を出力する再生機器の電源をオフにするように制御する
請求項２に記載の映像再生システム。
【請求項４】
前記表示機器は、前記切替部において、表示対象が切り替えられてからの時間が所定時間以上である場合に、表示対象が切り替えられたと判定し、当該切り替えられてからの時間が所定時間未満である場合には、表示対象が切り替えられていないと判定する
請求項３に記載の映像再生システム。
【請求項５】
映像を再生し、再生映像信号を出力する少なくとも１つの第１の再生機器と、
前記第１の再生機器から出力される再生映像信号の表示を行う表示機器と、
前記表示機器に接続される第１の機器と、
を有し、
前記表示機器は、前記第１の機器の前記表示機器が１つも接続されていない場合には前記第１の機器の電源をオフにする制御を行い、
前記第１の機器は、電源がオンになっている場合に、接続されている前記第１の再生機器の内、前記表示機器において前記第１の再生機器から出力される再生映像信号を表示するか否かに応じて前記再生機器の電源を制御する
映像再生システム。
【請求項６】
前記第１の機器は、前記再生機器の出力する再生映像信号を増幅するアンプ装置である
請求項５に記載の映像再生システム。
【請求項７】
前記第１の機器は、前記再生機器の出力する再生映像信号に対して所定の映像処理を行う第２の再生機器である
請求項５に記載の映像再生システム。
【請求項８】
映像を再生し、再生映像信号を出力する少なくとも１つの再生機器と、
前記少なくとも１つの再生機器と接続され、前記再生機器から出力される再生映像信号の表示を行う表示機器と、
を有し、
前記再生機器は、映像を再生する処理を実行可能な電源オン状態と、電源がオフにされた電源オフ状態と、電源制御信号に応じて前記電源オン状態へと移行可能な状態である動作待機状態と、のいずれかの状態をとることができ、
前記表示機器は、前記再生機器から出力される再生映像信号を表示するか否かに応じて、前記電源オン状態である前記再生機器を前記電源オフ状態にするか前記動作待機状態にするかを決定する
映像再生システム。
【請求項９】
少なくとも１つの再生機器に接続され、前記再生機器から出力される再生映像信号の表示を行う場合に、前記再生機器から出力される再生映像信号を表示するか否かに応じて前記再生機器の電源を制御する
表示機器。
【発明の詳細な説明】
【技術分野】
【０００１】
本発明は、再生映像信号を表示可能な映像表示システム及び表示機器に関する。
【背景技術】
【０００２】
接続されて使用されることが前提の２つ以上の電子機器において、片方の電子機器がもう片方の電子機器の電源の制御を行う場合がある。
例えば、映像を再生し再生映像信号を出力する再生機器と、再生機器が出力する再生映像信号を表示する表示機器とを含む映像表示システムにおいて、このような電源制御が行われる。
例えば、どちらの機器の電源もオフである場合に、再生機器の電源がオンされると、これに連動して表示機器の電源もオンされる映像表示システムがある。
或いは、反対に、表示機器の電源がオンされると、これに連動して再生機器の電源もオンされる映像表示システムがある。
【０００３】
このような映像表示システムでは、表示機器において映像を表示する場合にのみ表示機器及び再生機器の電源をオンにし、表示しない場合には電源をオフにすることにより、システム全体での省電力効果を狙っている。
【発明の開示】
【発明が解決しようとする課題】
【０００４】
しかし、上述したような映像表示システムにおいて、例えば再生機器が複数表示機器に接続され、特定の再生機器の再生映像信号のみ表示機器に表示されるような場合には、すべての再生機器の電源をオンにしてしまうと、電力の無駄が生じる。
すなわち、上述したような場合には、表示機器に表示される再生映像信号を出力していない再生機器が存在することになる。このような場合に、例えば全ての再生機器の電源が表示機器の電源オンに連動してオンされると、再生映像信号の出力を行わない再生機器の電源もオンされてしまい、その分の消費電力が無駄となってしまう。
【０００５】
このような事態を回避するために、本発明は、消費電力の無駄を極力少なくした映像表示システム及び表示機器を提供する。
【課題を解決するための手段】
【０００６】
第１の発明の映像再生システムは、映像を再生し、再生映像信号を出力する少なくとも１つの再生機器と、前記少なくとも１つの再生機器と接続され、前記再生機器から出力される再生映像信号の表示を行う表示機器と、を有し、前記表示機器は、前記再生機器から出力される再生映像信号を表示するか否かに応じて前記再生機器の電源を制御する。
【０００７】
第２の発明の映像再生システムは、映像を再生し、再生映像信号を出力する少なくとも１つの第１の再生機器と、前記第１の再生機器から出力される再生映像信号の表示を行う表示機器と、前記表示機器に接続される第１の機器と、を有し、前記表示機器は、前記第１の機器の前記表示機器が１つも接続されていない場合には前記第１の機器の電源をオフにする制御を行い、前記第１の機器は、電源がオンになっている場合に、接続されている前記第１の再生機器の内、前記表示機器において前記第１の再生機器から出力される再生映像信号を表示するか否かに応じて前記再生機器の電源を制御する。
【０００８】
第３の発明の映像再生システムは、映像を再生し、再生映像信号を出力する少なくとも１つの再生機器と、前記少なくとも１つの再生機器と接続され、前記再生機器から出力される再生映像信号の表示を行う表示機器と、を有し、前記再生機器は、映像を再生する処理を実行可能な電源オン状態と、電源がオフにされた電源オフ状態と、電源制御信号に応じて前記電源オン状態へと移行可能な状態である動作待機状態と、のいずれかの状態をとることができ、前記表示機器は、前記再生機器から出力される再生映像信号を表示するか否かに応じて、前記電源オン状態である前記再生機器を前記電源オフ状態にするか前記動作待機状態にするかを決定する。
【０００９】
第４の発明の表示機器は、少なくとも１つの再生機器に接続され、前記再生機器から出力される再生映像信号の表示を行う場合に、前記再生機器から出力される再生映像信号を表示するか否かに応じて前記再生機器の電源を制御する。
【発明の効果】
【００１０】
本発明は、消費電力の無駄を極力少なくすることができる。
【発明を実施するための最良の形態】
【００１１】
以下、本発明の実施形態について説明する。
＜第１実施形態＞
第１実施形態の映像表示システム１００の構成の一例について説明する。
図１は、映像表示システム１００の構成の一例を示したブロック図である。
図１に示すように、映像表示システム１００は、表示機器１１０と、再生機器１２０とを有する。
【００１２】
表示機器１１０は、再生機器１２０が出力する再生映像信号を取得し、表示処理を行う。
表示機器１１０は、図１に示すように、表示部１１１、切替部１１２、制御部１１３、チューナ部１１４を有する。
表示部１１１は、例えば液晶ディスプレイ（ＬＣＤ）や有機ＥＬディスプレイ等により構成される表示デバイスであり、制御部１１３の制御に従って再生映像信号の表示処理を行う。
【００１３】
切替部１１２は、表示部１１１に表示する表示対象を切り替えるブロックである。
切替部１１２は、表示部１１１の表示対象として、再生機器１２０から出力される再生映像信号と、後述するチューナ部１１４が受信したデジタル放送信号のいずれか１つを選択し、切り替える。
切替部１１２における表示対象の選択は、例えばユーザの操作に応じてなされる。例えば図１に図示しない操作部等により、ユーザの操作を受け付け、その操作に応じて、切替部１１２は表示対象をいずれにするかを決定する。
【００１４】
制御部１１３は、表示機器１１０全体の統括的な制御を行う制御ブロックであり、例えばＣＰＵ（Central Processing Unit）により構成される。
制御部１１３は、再生機器１２０からの再生映像信号に表示処理を行い、表示部１１１に出力する。
また、制御部１１３は、再生機器１２０の電源をオンまたはオフする処理を行う。
制御部１１３による再生機器１２０の電源オンまたはオフ処理については、詳細は後述する。
【００１５】
チューナ部１１４は、例えばデジタル放送波をアンテナ等により受信して、復号等の所定の処理を行い、表示部１１１に表示可能なデジタル放送信号を出力する。
すなわち、本実施形態では、表示機器１１０として、外部からの入力端子を有するデジタルテレビが想定されている。
【００１６】
再生機器１２０は、所定の映像ソースを基に再生処理を行い、再生映像信号として表示機器１１０に対して出力する。
所定の映像ソースとは、例えば、インターネット等のネットワークを介した通信、ＤＶＤ（Digital Versatile Disc）やＢＤ（Blu-ray Disc：商標）等のパッケージメディア、デジタルテレビ放送による放送波等である。
再生機器１２０は、これらの映像ソースからデジタル映像信号を取得し、再生処理を行い、再生映像信号として出力する。
再生機器１２０の再生処理の詳細については、本実施形態では説明を省略する。再生処理については、従来の技術を利用することができる。
【００１７】
表示機器１１０と再生機器１２０とは、例えばＨＤＭＩ（High-Definition Multimedia Interface）により接続される。
ＨＤＭＩは、非圧縮デジタル音声・映像を伝達可能であり、また制御信号等を送ることもできる伝送方式である。
制御信号は、例えばＣＥＣ（Consumer Electronics Control）と呼ばれる方式を利用して送信するようにすればよい。ＣＥＣの詳細については本実施形態では説明を省略する。
【００１８】
次に、表示機器１１０の制御部１１３による、再生機器１２０の電源制御処理について説明する。
【００１９】
再生機器１２０の電源をオンにする場合の制御について説明する。
図２は、表示機器１１０により再生機器１２０の電源をオンにする場合の電源オン処理について説明するためのフローチャートである。
ステップＳＴ１：
制御部１１３は、切替部１１２において表示部１１１の表示対象の切り替えが行われたか否かを判定する。
切替部１１２において表示対象の切り替えが行われた場合はステップＳＴ２に進み、行われていない場合は再生機器１２０の電源オン処理を終了する。
ステップＳＴ２：
制御部１１３は、ステップＳＴ１において切替部１１２の表示対象の切り替えの結果、再生機器１２０から出力される再生映像信号が表示対象となったか否かを判定する。
ステップＳＴ１における切り替えの結果、再生機器１２０から出力される再生映像信号が表示対象となった場合はステップＳＴ３に進み、そうでない場合は電源オン処理を終了する。
【００２０】
ステップＳＴ３：
制御部１１３は、再生機器１２０から出力される再生映像信号が、ステップＳＴ１における切り替えの結果、再生機器１２０から出力される再生映像信号が表示対象となってから所定時間が経過したか否かを判定する。
所定時間とは、例えば５秒や１０秒程度、ユーザの操作に応じた切替部１１２における切り替え途中ではないと判断できるだけの時間である。
例えば、ユーザが図示しない操作部に対して１回の操作を行う度に切替部１１２が切り替え処理を行うとする。このような場合には、制御部１１３は、ユーザがこれ以上操作を行わないと思われる所定時間だけ、切替部１１２における切り替えから経過したか否かを判定することにより、切り替えが確定されたか否かを判断する。
所定時間が経過していると判定した場合はステップＳＴ４に進み、そうでない場合はステップＳＴ３を繰り返す。
【００２１】
ステップＳＴ４：
制御部１１３は、再生機器１２０の電源をオンにする電源制御信号を再生機器１２０に対して送信する。
これに応じて、再生機器１２０は電源をオンにする。
以上のような処理により、表示機器１１０における表示対象が再生機器１２０の出力する再生映像信号に切り替えられたことを条件に、再生機器１２０の電源がオンされる。
このため、表示機器１１０において表示対象に選択されるまで、再生機器１２０の電源はオフであってもかまわないため、再生機器１２０の消費電力の無駄を省略することができる。
【００２２】
次に、再生機器１２０の電源をオフにする場合の制御について説明する。
図３は、表示機器１１０により再生機器１２０の電源をオフにする場合の電源オフ処理について説明するためのフローチャートである。
【００２３】
ステップＳＴ１１：
制御部１１３は、切替部１１２において表示部１１１の表示対象の切り替えが行われたか否かを判定する。
切替部１１２において表示対象の切り替えが行われた場合はステップＳＴ１２に進み、行われていない場合は電源オフ処理を終了する。
ステップＳＴ１２：
制御部１１３は、ステップＳＴ１１において切替部１１２の表示対象の切り替えの結果、再生機器１２０から出力される再生映像信号が表示対象でなくなったか否かを判定する。
ステップＳＴ１１まで表示対象であった再生機器１２０から出力される再生映像信号が、表示対象でなくなった場合はステップＳＴ１３に進み、そうでない場合は電源オフ処理を終了する。
【００２４】
ステップＳＴ１３：
制御部１１３は、再生機器１２０から出力される再生映像信号が、ステップＳＴ１２において表示対象でなくなってから所定時間が経過したか否かを判定する。
所定時間とは、例えば５秒や１０秒程度、ユーザの操作に応じた切替部１１２における切り替え途中ではないと判断できるだけの時間である。
所定時間が経過していると判定した場合はステップＳＴ１４に進み、そうでない場合はステップＳＴ１３を繰り返す。
【００２５】
ステップＳＴ１４：
制御部１１３は、再生機器１２０の電源をオフにする電源制御信号を再生機器１２０に対して送信する。
これに応じて、再生機器１２０は電源をオフにする。
或いは、再生機器１２０は、電源制御信号に応じて、電源オフの代わりに動作待機状態となってもよい。動作待機状態は、いわゆるスタンバイ状態であり、低電圧・低電流により基本的な構成のみ動作する状態である。
【００２６】
このような処理により、表示機器１１０における表示対象が再生機器１２０の出力する再生映像信号から他の表示対象へと切り替えられた場合に、制御部１１３により再生機器１２０が電源オフに制御される。
従って、再生機器１２０が出力する再生映像信号が表示機器１１０の表示対象として選択されていない場合には、再生機器１２０の電源をオフすることができる。
このため、再生機器１２０の出力する再生映像信号が表示対象とされていないにもかかわらず、再生機器１２０の電源がオンされている状態のままであり、電力の無駄遣いが生じてしまう、という事態を回避することができる。
【００２７】
以上説明したように、第１実施形態の映像表示システム１００によれば、表示機器１１０における表示対象が再生機器１２０が出力する再生映像信号に切り替えられたことが条件に、再生機器１２０の電源がオンされる。
このため、表示機器１１０において表示対象に選択されるまで、再生機器１２０の電源はオフであってもかまわないため、再生機器１２０の消費電力の無駄を省略することができる。
【００２８】
また、第１実施形態の映像表示システム１００によれば、表示機器１１０において表示対象が再生機器１２０の出力する再生映像信号から他の表示対象へと切り替えが行われた場合に、制御部１１３により再生機器１２０が電源オフに制御される。
従って、再生機器１２０が出力する再生映像信号が表示機器１１０の表示対象として選択されていない場合には、再生機器１２０の電源をオフすることができる。
このため、再生機器１２０の出力する再生映像信号が表示対象とされていないにもかかわらず、再生機器１２０の電源がオンされている状態のままであり、電力の無駄遣いが生じてしまう、という事態を回避することができる。
【００２９】
なお、上述した第１実施形態において、表示機器１１０はチューナ部１１４を有するデジタルテレビである場合が想定されていたが、これは一例であり、本発明はこれには限定されない。
本発明では、表示機器はチューナ部を有さずともよく、デジタルテレビに限定されない。
本発明の表示機器は、再生機器からの再生映像信号とその他の映像信号とを表示対象とし、これらを切替部により切り替えることができるような構成であればよい。
【００３０】
＜第２実施形態＞
以下、本発明の第２実施形態の映像表示システム２００について説明する。
図４は、本発明の第２実施形態の映像表示システム２００の構成の一例を示すブロック図である。
図４に示すように、映像表示システム２００は、表示機器２１０と、再生機器２２０、２３０、２４０を有する。
表示機器２１０は、図４に示すように、表示部２１１、切替部２１２、制御部２１３を有する。
表示機器２１０の各構成は、図４に示すように、チューナ部を有していないことをのぞいて、第１実施形態の表示機器１１０と同様である。
表示部２１１は、例えば液晶ディスプレイ（ＬＣＤ）や有機ＥＬディスプレイ等が保持する表示デバイスであり、制御部２１３の制御に従って再生映像信号の表示処理を行う。
【００３１】
切替部２１２は、表示部２１１に表示する表示対象を切り替えるブロックである。
切替部２１２は、表示部２１１の表示対象として、再生機器２２０〜２４０から出力される再生映像信号の内、いずれか１つを選択して切り替える。
切替部２１２における表示対象の選択は、例えばユーザの操作に応じてなされる。例えば図４に図示しない操作部等により、ユーザの操作を受け付け、その操作に応じて、切替部２１２は表示対象をいずれにするかを決定する。
【００３２】
制御部２１３は、表示機器２１０全体の統括的な制御を行う制御ブロックであり、例えばＣＰＵ（Central Processing Unit）により構成される。
制御部２１３は、再生機器２２０〜２４０からの再生映像信号に表示処理を行い、表示部２１１に出力する。
また、制御部２１３は、再生機器２２０〜２４０の電源をオンまたはオフする処理を行う。
制御部２１３による再生機器２２０〜２４０の電源オンまたはオフ処理については、詳細は後述する。
【００３３】
次に再生機器２２０〜２４０について説明する。
再生機器２２０、２３０、２４０はそれぞれ同様の構成を有しており、また第１実施形態において説明した再生機器１２０ともほぼ同様の構成を有する。
再生機器２２０、２３０、２４０は、所定の映像ソースを基に再生処理を行い、再生映像信号として表示機器２１０に対して出力する。
所定の映像ソースとは、例えば、インターネット等のネットワークを介した通信、ＤＶＤ（Digital Versatile Disc）やＢＤ（Blu-ray Disc：商標）等のパッケージメディア、デジタルテレビ放送による放送波等である。
再生機器２２０、２３０、２４０は、これらの映像ソースからデジタル映像信号を取得し、再生処理を行い、再生映像信号として出力する。
再生機器２２０、２３０、２４０は、図４に示すように、それぞれ異なる経路で表示機器２１０と接続されている。接続方法は、例えばＨＤＭＩによる接続である。
【００３４】
以下、第２実施形態の映像表示システム２００における、再生機器２２０〜２４０の電源オン処理について説明する。
図５は、表示機器２１０が、新たに表示対象となった再生機器の電源をオンにする場合の電源制御処理について説明するためのフローチャートである。
ステップＳＴ２１：
制御部２１３は、切替部２１２において表示部２１１の表示対象の切り替えが行われたか否かを判定する。
切替部２１２において表示対象の切り替えが行われた場合はステップＳＴ２２に進み、行われていない場合は電源オン処理を終了する。
【００３５】
ステップＳＴ２２：
制御部２１３は、ステップＳＴ２１において切替部２１２の表示対象の切り替えの結果、再生機器２２０〜２４０のいずれかから出力される再生映像信号が表示対象となったか否かを判定する。
ステップＳＴ２１における切り替えの結果、再生機器２２０〜２４０のいずれかから出力される再生映像信号が表示対象となった場合はステップＳＴ２３に進み、そうでない場合は電源オン処理を終了する。
そうでない場合とは、例えば第１実施形態と同様に、映像表示システム１００が有するチューナ部が取得したデジタル放送信号が表示対象となった場合である。或いは、図４に図示しない、再生機器２２０〜２４０とは異なる再生機器から出力される再生映像信号が表示対象となった場合である。
【００３６】
ステップＳＴ２３：
制御部２１３は、再生機器２２０〜２４０のいずれかから出力される再生映像信号が、ステップＳＴ２１における切り替えの結果、再生機器２２０〜２４０のいずれかから出力される再生映像信号が表示対象となってから所定時間が経過したか否かを判定する。
所定時間とは、例えば５秒や１０秒程度、ユーザの操作に応じた切替部２１２における切り替え途中ではないと判断できるだけの時間である。
例えば、ユーザが例えば図示しない操作部に対して１回の操作を行う度に切替部２１２が切り替え処理を行うとする。このような場合には、制御部２１３は、ユーザがこれ以上操作を行わないと思われる所定時間だけ、切替部２１２における切り替えから経過したか否かを判定することにより、切り替えが確定されたか否かを判断する。
所定時間が経過していると判定した場合はステップＳＴ２４に進み、そうでない場合はステップＳＴ２３を繰り返す。
【００３７】
ステップＳＴ２４：
制御部２１３は、再生機器２２０〜２４０の内、ステップＳＴ２１において出力する再生映像信号が表示対象となった再生機器の電源をオンにするように電源制御信号を送信する。
これに応じて、電源制御信号を取得した再生機器は電源をオンにする。
以上のような処理により、再生機器２２０〜２４０の内、表示機器２１０において表示対象が出力する再生映像信号に切り替えられた再生機器の電源のみオンされるように制御することが可能になる。
このため、表示機器２１０において表示対象に選択されるまで、再生機器２２０〜２４０の電源はオフであってもかまわないため、再生機器２２０〜２４０の消費電力の無駄を省略することができる。
【００３８】
次に、表示対象でなくなった再生機器の電源をオフにする場合の制御について説明する。
図６は、表示機器２１０が、切り替えにより表示対象ではなくなった再生機器の電源をオフにする場合の電源オフ処理について説明するためのフローチャートである。
【００３９】
ステップＳＴ３１：
制御部２１３は、切替部２１２において表示部２１１の表示対象の切り替えが行われたか否かを判定する。
切替部２１２において表示対象の切り替えが行われた場合はステップＳＴ３２に進み、行われていない場合は電源オフ処理を終了する。
ステップＳＴ３２：
制御部２１３は、ステップＳＴ３１において切替部２１２の表示対象の切り替えの結果、切り替え以前には表示対象であった再生機器２２０〜２４０のいずれかからの再生映像信号が表示対象でなくなったか否かを判定する。
切り替え以前まで表示対象であった再生機器２２０〜２４０のいずれかから出力される再生映像信号が表示対象でなくなった場合は、ステップＳＴ３３に進み、そうでない場合は電源オフ処理を終了する。
【００４０】
ステップＳＴ３３：
制御部２１３は、再生機器２２０〜２４０のいずれかから出力される再生映像信号が、ステップＳＴ３２において表示対象でなくなってから所定時間が経過したか否かを判定する。
所定時間とは、例えば５秒や１０秒程度、ユーザの操作に応じた切替部２１２における切り替え途中ではないと判断できるだけの時間である。
所定時間が経過していると判定した場合はステップＳＴ３４に進み、そうでない場合はステップＳＴ３３を繰り返す。
【００４１】
ステップＳＴ３４：
制御部２１３は、再生機器２２０〜２４０の内、ステップＳＴ３１において出力する再生映像信号が表示対象でなくなった再生機器の電源をオフにするように電源制御信号を送信する。
これに応じて、電源制御信号を取得した再生機器は電源をオフにする。
或いは、電源制御信号を取得した再生機器は、電源制御信号に応じて、電源オフの代わりに動作待機状態となってもよい。動作待機状態は、いわゆるスタンバイ状態であり、低電圧・低電流により基本的な構成のみ動作する状態である。
【００４２】
このような処理により、それまで表示対象であった再生映像信号を出力する再生機器が表示対象ではなくなった場合に、制御部２１３により当該再生機器の電源がオフになるように制御される。
従って、再生機器２２０〜２４０の内、出力する再生映像信号が表示機器２１０の表示対象として選択されていない再生機器の電源がオフになるように制御することができる。
このため、出力する再生映像信号が表示対象とされていないにもかかわらず、再生機器の電源がオンされている状態のままであり、電力の無駄遣いが生じてしまう、という事態を回避することができる。
【００４３】
なお、上述した第２実施形態において、それまで表示対象であった再生機器２２０〜２４０の内のいずれかの再生機器が、表示対象の切り替えによって、他の再生機器２２０〜２４０の内のいずれかに切り替えられた場合には、以下のように処理を行う。
すなわち、それまで表示対象であった再生機器の電源オフ処理を、図６に関連づけて説明した動作例に従って行い、同時に、新たに表示対象となった再生機器の電源オン処理を、図５に関連付けて説明した動作例に従って行う。
このようにすることにより、表示対象ではなくなった再生機器の電源をオフにしつつ、新たに表示対象となった再生機器の電源をオンすることができ、再生機器を省電力化することができる。
【００４４】
なお、本第２実施形態において、表示機器２１０に接続される再生機器の数が３つである場合について説明したが、本発明はこれには限定されない。表示機器２１０に接続される再生機器の数は、何個でもよい。ただし、ＨＤＭＩによる接続は一般に３機までであるため、接続される再生機器の数も３機までであることが望ましい。
【００４５】
また、本第２実施形態において、表示機器２１０はチューナ部を有していない例について説明したが、第１実施形態と同様にチューナ部を有していてもよい。
【００４６】
＜第３実施形態＞
以下、本発明の第３実施形態の映像表示システム３００について説明する。
図７は、本発明の第３実施形態の映像表示システム３００の構成の一例を示すブロック図である。
図７に示すように、映像表示システム３００は、表示機器３１０、再生機器３２０、再生機器３３０、アンプ３４０を有する。
アンプ３４０が本発明の第１の機器に対応している。
第３実施形態の映像表示システム３００では、アンプ３４０により、再生機器３２０及び３３０が出力する再生映像信号が増幅される。これにより、表示機器３１０は好適な表示を行うことができるようになる。
【００４７】
表示機器３１０は、図７に示すように、表示部３１１、制御部３１２を有する。
表示機器３１０の各構成は、図７に示すように、切替部及びチューナ部を有していないことをのぞいて、第１実施形態の表示機器１１０と同様である。
表示部３１１は、例えば液晶ディスプレイ（ＬＣＤ）や有機ＥＬディスプレイ等が保持する表示デバイスであり、制御部３１２の制御に従って再生映像信号の表示処理を行う。
【００４８】
制御部３１２は、表示機器３１０全体の統括的な制御を行う制御ブロックであり、例えばＣＰＵ（Central Processing Unit）により構成される。
制御部３１２は、後述するアンプ３４０からの出力信号に対して表示処理を行い、表示部３１１に出力することにより、出力信号の表示を行う。
また、制御部３１２は、アンプ３４０の電源をオンまたはオフする処理を行う。
制御部３１２によるアンプ３４０の電源オンまたはオフ処理については、詳細は後述する。
【００４９】
次に再生機器３２０、３３０について説明する。
再生機器３２０、３３０はそれぞれ同様の構成を有しており、また第１実施形態において説明した再生機器１２０ともほぼ同様の構成を有する。
再生機器３２０、３３０は、所定の映像ソースを基に再生処理を行い、再生映像信号としてアンプ３４０に対して出力する。
所定の映像ソースとは、例えば、インターネット等のネットワークを介した通信、ＤＶＤ（Digital Versatile Disc）やＢＤ（Blu-ray Disc：商標）等のパッケージメディア、デジタルテレビ放送による放送波等である。
再生機器３２０、３３０は、これらの映像ソースからデジタル映像信号を取得し、再生処理を行い、再生映像信号として出力する。
再生機器３２０、３３０は、図７に示すように、それぞれ異なる経路でアンプ３４０と接続されている。接続方法は、例えばＨＤＭＩによる接続である。
【００５０】
次にアンプ３４０について説明する。
アンプ３４０は、図７に示すように、表示機器３１０と、再生機器３２０及び３３０との間に接続されている。これらの接続方式は、例えばＨＤＭＩである。
アンプ３４０は、再生機器３２０及び３３０から出力された再生映像信号を増幅し、出力信号として表示機器３１０に出力する。なお、アンプ３４０が増幅するものは再生映像信号だけではなく、例えば再生機器３２０及び３３０から出力された音声信号でもよい。
また、アンプ３４０は、接続された再生機器３２０及び３３０の電源をオンまたはオフする処理を行う。
アンプ３４０による再生機器３２０及び３３０の電源オンまたはオフ処理については、詳細は後述する。
【００５１】
以下、表示機器３１０によるアンプ３４０の電源オン・オフ処理について説明する。
図８は、表示機器３１０によるアンプ３４０の電源オン・オフ処理について説明するためのフローチャートである。
なお、図８における動作例では、アンプ３４０に必ずしも図７に示すように再生機器３２０及び３３０が接続されていない場合を想定している。
ステップＳＴ４１：
表示機器３１０の制御部３１２は、アンプ３４０に対して、接続された再生機器の数を問い合わせる。
この問い合わせは、例えばＨＤＭＩのＣＥＣという規格を使用して行えばよい。
【００５２】
ステップＳＴ４２：
制御部３１２は、ステップＳＴ４１において問い合わせた、アンプ３４０に接続された再生機器の数を判定する。
アンプ３４０に接続された再生機器の数が０である場合はステップＳＴ４３に進み、１以上である場合はステップＳＴ４４に進む。
【００５３】
ステップＳＴ４３：
制御部３１２は、アンプ３４０に対して電源をオフにするように電源制御信号を送信する。
これにより、アンプ３４０に１つも再生機器が接続されていない場合には、アンプ３４０の電源がオフになるように制御される。
また、制御部３１２は、アンプ３４０の電源をオフにせず、動作待機状態（スタンバイ状態）となるような制御信号を送信してもよい。
【００５４】
ステップＳＴ４４：
制御部３１２は、アンプ３４０に対して電源をオンにするように電源制御信号を送信する。
これにより、アンプ３４０に再生機器が１つでも接続されている場合には、アンプ３４０の電源がオンになるように制御される。
【００５５】
次に、アンプ３４０による再生機器３２０及び３３０の電源オン・オフ処理について説明する。
図９は、アンプ３４０による再生機器３２０及び３３０の電源オン・オフ処理について説明するためのフローチャートである。
ステップＳＴ５１：
アンプ３４０は、表示機器３１０がどの再生機器の出力する再生映像信号を表示するかを判定する。
当該判定は、例えばＨＤＭＩのＣＥＣ規格によりアンプ３４０が表示機器３１０に対して問い合わせることにより行う。
当該判定の結果、表示機器３１０において、再生機器３２０の再生映像信号が再生されると判定した場合はステップＳＴ５２に進む。
再生機器３３０の再生映像信号が再生されると判定した場合はステップＳＴ５２に進む。
そして、表示機器３１０がいずれの再生機器の再生映像信号も表示しないと判定した場合はステップＳＴ５４に進む。
【００５６】
ステップＳＴ５２：
アンプ３４０は、再生機器３２０に対して、電源をオンにするように電源制御信号を送信する。
これにより、再生機器３２０の電源がオンされる。
ステップＳＴ５３：
アンプ３４０は、再生機器３３０に対して、電源をオンにするように電源制御信号を送信する。
これにより、再生機器３３０の電源がオンされる。
【００５７】
ステップＳＴ５４：
アンプ３４０は、再生機器３２０または３３０の電源がオンされていた場合には、再生機器３２０及び３３０に対して、電源をオフにするように電源制御信号を送信する。或いは、再生機器３２０または３３０の電源がオフであった場合には、処理を終了する。
【００５８】
すなわち、本第３実施形態の映像表示システム３００によれば、表示機器３１０にアンプ３４０を介して再生機器が接続されている場合に、表示機器３１０がアンプ３４０の電源オン・オフの制御を行い、アンプ３４０が再生機器の電源オン・オフの制御を行う。
これにより、アンプ３４０及びアンプ３４０に接続された再生機器の電源が無駄にオンされてしまう事態を回避でき、システム全体の省電力化を図ることができるようになる。
【００５９】
なお、本第３実施形態において、アンプ３４０に接続される再生機器の数が２つである場合について説明したが、本発明はこれには限定されない。アンプ３４０に接続される再生機器の数は、何個でもよい。ただし、ＨＤＭＩによる接続は一般に３機までであるため、接続される再生機器の数も３機までであることが望ましい。
【００６０】
また、本第３実施形態では、表示機器３１０と再生機器３２０及び３３０の間にアンプ３４０が接続される形態について説明したが、本発明はこれには限定されない。
例えば、アンプ３４０の代わりに、他の再生機器が接続されてもよい。すなわち、表示機器３１０と再生機器３２０及び３３０との間に、他の再生機器が接続される形態であってもよい。
この場合、例えば他の再生機器は、再生機器３２０及び３３０から出力される再生映像信号に対して、アップスケール等の映像処理等、所定の処理を行う。
【００６１】
また、本第２実施形態において、表示機器２１０はチューナ部を有していない例について説明したが、第１実施形態と同様にチューナ部を有していてもよい。
【００６２】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
【００６３】
上述した第２及び第３実施形態において、第１実施形態とは異なり、表示機器がチューナ部を有していない構成について説明したが、本発明はこれには限定されない。
例えば第２実施形態や第３実施形態においても、表示機器がチューナ部を有し、再生機器から出力される再生映像信号の他にチューナ部が受信するデジタル放送信号を表示対象としてもよい。
【図面の簡単な説明】
【００６４】
【図１】図１は、第１実施形態の映像表示システムの構成の一例を示したブロック図である。
【図２】図２は、第１実施形態において、表示機器により再生機器の電源をオンにする場合の電源オン処理について説明するためのフローチャートである。
【図３】図３は、第１実施形態において、表示機器により再生機器の電源をオフにする場合の電源オフ処理について説明するためのフローチャートである。
【図４】図４は、第２実施形態の映像表示システムの構成の一例を示すブロック図である。
【図５】図５は、第２実施形態において、表示機器が、新たに表示対象となった再生機器の電源をオンにする場合の電源制御処理について説明するためのフローチャートである。
【図６】図６は、第２実施形態において、表示機器が、切り替えにより表示対象ではなくなった再生機器の電源をオフにする場合の電源オフ処理について説明するためのフローチャートである。
【図７】図７は、第３実施形態の映像表示システムの構成の一例を示すブロック図である。
【図８】図８は、第３実施形態における、表示機器によるアンプの電源オン・オフ処理について説明するためのフローチャートである。
【図９】図９は、第３実施形態における、アンプによる再生機器の電源オン・オフ処理について説明するためのフローチャートである。
【符号の説明】
【００６５】
１００…映像表示システム、１１０…表示機器、１１１…表示部、１１２…切替部、１１３…制御部、１１４…チューナ部、１２０…再生機器、２００…映像表示システム、２１０…表示機器、２１１…表示部、２１２…切替部、２１３…制御部、２２０，２３０，２４０…再生機器、３００…映像表示システム、３１０…表示機器、３１１…表示部、３１２…制御部、３２０，３３０…再生機器、３４０…アンプ
【図１】
2010098515.tif 000003
【図２】
2010098515.tif 000004
【図３】
2010098515.tif 000005
【図４】
2010098515.tif 000006
【図５】
2010098515.tif 000007
【図６】
2010098515.tif 000008
【図７】
2010098515.tif 000009
【図８】
2010098515.tif 000010
【図９】
2010098515.tif 000011